(57)【要約】【課題】操作性のよい視聴システムを提供する。【解決手段】デジタル放送の表示装置と、タッチパネル等の表示手段を備えたリモートコントローラ装置とを備えた視聴システムを用いる。この視聴システムの表示装置は、デジタル放送の画像データを表示する表示手段により表示し、文字データ処理手段により文字データを取得する。この文字データは、送受信手段により、リモートコントローラ装置により送信する。リモートコントローラ装置は、この文字データを受信する送受信手段と、文字データを表示する表示手段とを備えている。【選択図】  図１
2010130445.tif 000002
【特許請求の範囲】
【請求項１】
放送番組に関する番組情報を取得する番組情報処理手段と、
デジタル放送の画像データを表示する表示手段と、
前記番組情報と該番組情報に関連付けされた操作情報とを送受信する送受信手段と
を備えた表示装置と
前記表示装置から送信される前記番組情報と前記操作情報とを送受信する送受信手段と、
前記番組情報と前記操作情報とを表示する表示手段と
を備えたリモートコントローラ装置とを備える
ことを特徴とする視聴システム。
【請求項２】
前記リモートコントローラ装置は、
前記番組情報と前記操作情報とを同時に表示する
ことを特徴とする請求項１に記載の視聴システム。
【請求項３】
前記表示装置は、前記番組情報と前記操作情報から、前記リモートコントローラ装置の前記表示手段の性能に関する指標を基にリモコン画面データを作成するリモコン画面データ作成手段を更に備え、
前記リモートコントローラ装置は、前記リモコン画面データを、前記番組情報と前記操作情報とを入力手段と対応させるボタンとして描画するボタン描画手段を更に備える
ことを特徴とする請求項１又は２に記載の視聴システム。
【請求項４】
前記リモコン画面データ作成手段は、更に前記画像データのサムネイル画像を用いて前記リモコン画面データを作成する
ことを特徴とする請求項３に記載の視聴システム。
【請求項５】
前記リモコン画面データ作成手段は、前記サムネイル画像をワンセグ放送の画像データ又は前記表示装置に記憶された録画画像の画像データを用いて作成する
ことを特徴とする請求項４に記載の視聴システム。
【請求項６】
前記リモートコントローラ装置は、電子番組表を前記リモートコントローラ装置の前記表示手段に表示する
ことを特徴とする請求項１から５のいずれか１項に記載に記載の視聴システム。
【請求項７】
前記表示装置の前記リモコン画面データ作成手段は、前記電子番組表のリモコン画面データを作成し、
前記リモートコントローラ装置の前記ボタン描画手段は、前記電子番組表のリモコン画面データを前記リモートコントローラ装置の前記表示手段に表示する
ことを特徴とする請求項３から６のいずれか１項に記載に記載の視聴システム。
【請求項８】
放送番組に関する番組情報を取得する番組情報処理手段と、
デジタル放送の画像データを表示する表示手段と、
前記番組情報をリモートコントローラ装置へ送受信する送受信手段とを備える
ことを特徴とする表示装置。
【請求項９】
デジタル放送の表示装置で受信された番組情報を送受信する送受信手段と、
前記番組情報を表示する表示手段とを備える
ことを特徴とするリモートコントローラ装置。
【請求項１０】
ワンセグ放送を受信してサムネイル画像を描画するワンセグサムネイル画像描画手段を更に備える
ことを特徴とする請求項９に記載のリモートコントローラ装置。
【請求項１１】
表示装置により放送番組に関する番組情報を取得し、
前記表示装置にてデジタル放送の画像データを表示し、
前記表示装置により番組情報を前記表示装置からリモートコントローラ装置に送信し、
前記リモートコントローラ装置にて前記番組情報を受信し、
前記表示装置により送信された前記番組情報を、前記リモートコントローラ装置に表示する
ことを特徴とする視聴方法。
【発明の詳細な説明】
【技術分野】
【０００１】
本発明は視聴システム、表示装置、リモートコントローラ装置、及び視聴方法に係り、特に画像データを表示装置に表示し番組情報をリモートコントローラ装置に表示する視聴システム、表示装置、リモートコントローラ装置、及び視聴方法に関する。
【背景技術】
【０００２】
近年、ＴＶ（テレビジョン）放送のデジタル化に伴って、文字放送が充実してきている。
我が国の衛星デジタル放送や地上デジタル放送では、文字放送の番組情報が、テレビ番組の画像データと同時に送信されている。
これらの番組情報は、番組配列情報のデータのようなセクション形式で送信されており、データ放送や電子番組表（Ｅｌｅｃｔｒｏｎｉｃ  Ｐｒｏｇｒａｍ  Ｇｕｉｄｅ、以下ＥＰＧ（登録商標）とする。）を生成するための情報を含んでいる。
しかしながら、これらの番組情報は、ＥＰＧを閲覧する際には利用されているものの、番組視聴時にはあまり活用されていないのが実情である。実際のところ、データ放送は、ドラマの放送時には、出演者や演出や監督等のユーザーが興味を惹く情報がテレビ局により書き込まれているなど、日々、充実してきている。これを活用することで、ユーザーの利便性を向上させることができる。また、番組情報に埋め込まれている企業のコマーシャルの訴求効果も高めることが可能になる。
【０００３】
そこで、画面を分割して表示し、番組情報と、放送の画像とを同事に表示する技術がいくつか開発されている。
このような、従来の番組情報と画像とを同時視聴する技術として、例えば特許文献１の段落〔００６８〕や特許文献１の図１２Ａ等を参照すると、ＥＰＧと同調する番組を番組エリアに表示する技術が開示されている（以下、従来技術１とする。）。従来技術１では、ＴＶ放送の画像データを子画面にしてＥＰＧ画面にＰＩＰ（Ｐｉｃｔｕｒｅ  ｉｎ  Ｐｉｃｔｕｒｅ）表示することができる。
さらに、従来技術１の技術に加え、テレビジョン放送受信機の画面に番組情報をオーバーレイ／半透明表示する技術も開発されている。
これらの従来技術により、現在受信中のＴＶ番組とＥＰＧを同時に表示できる機能があるため、番組情報を用いて作成されるＥＰＧを、より効率的に活用することができる。
【０００４】
【特許文献１】２００４−１９４３４４号公報
【発明の開示】
【発明が解決しようとする課題】
【０００５】
しかしながら、従来技術１のような、従来の番組情報と画像とを同時に表示する技術においては、画像データを縮小して表示したり、ＰＩＰ表示により画像の一部に上書きして表示するので、表示される画像が劣化するという問題があった。
このため、通常の画像データを表示する際に、表示される画像の劣化を伴わない同時表示を行う方法が求められていた。
【０００６】
本発明は、このような状況に鑑みてなされたものであり、上述の課題を解消することを課題とする。
【課題を解決するための手段】
【０００７】
本発明の視聴システムは、放送番組に関する番組情報を取得する番組情報処理手段と、デジタル放送の画像データを表示する表示手段と、前記番組情報と該番組情報に関連付けされた操作情報とを送受信する送受信手段とを備えた表示装置、前記表示装置から送信される前記番組情報と前記操作情報とを送受信する送受信手段と、前記番組情報と前記操作情報とを表示する表示手段とを備えたリモートコントローラ装置とを備えることを特徴とする。
本発明の視聴システムは、前記リモートコントローラ装置は、前記番組情報と前記操作情報とを同時に表示することを特徴とする。
本発明の視聴システムは、前記表示装置は、前記番組情報と前記操作情報から、前記リモートコントローラ装置の前記表示手段の性能に関する指標を基にリモコン画面データを作成するリモコン画面データ作成手段を更に備え、前記リモートコントローラ装置は、前記リモコン画面データを、前記番組情報と前記操作情報とを入力手段と対応させるボタンとして描画するボタン描画手段を更に備えることを特徴とする。
本発明の視聴システムは、前記リモコン画面データ作成手段は、更に前記画像データのサムネイル画像を用いて前記リモコン画面データを作成することを特徴とする。
本発明の視聴システムは、前記リモコン画面データ作成手段は、前記サムネイル画像をワンセグ放送の画像データ又は前記表示装置に記憶された録画画像の画像データを用いて作成することを特徴とする。
本発明の視聴システムは、前記リモートコントローラ装置は、前記電子番組表を前記リモートコントローラ装置の前記表示手段に表示することを特徴とする。
本発明の視聴システムは、前記表示装置の前記リモコン画面データ作成手段は、前記電子番組表のリモコン画面データを作成し、前記リモートコントローラ装置の前記ボタン描画手段は、前記電子番組表のリモコン画面データを前記リモートコントローラ装置の前記表示手段に表示することを特徴とする。
本発明の表示装置は、放送番組に関する番組情報を取得する番組情報処理手段と、デジタル放送の画像データを表示する表示手段と、前記番組情報をリモートコントローラ装置へ送受信する送受信手段とを備えることを特徴とする。
本発明のリモートコントローラ装置は、デジタル放送の表示装置で受信された番組情報を送受信する送受信手段と、前記番組情報を表示する表示手段とを備えることを特徴とする。
本発明のリモートコントローラ装置は、ワンセグ放送を受信してサムネイル画像を描画するワンセグサムネイル画像描画手段を更に備えることを特徴とする。
本発明の視聴方法は、表示装置により放送番組に関する番組情報を取得し、前記表示装置にてデジタル放送の画像データを表示し、前記表示装置により番組情報を前記表示装置からリモートコントローラ装置に送信し、前記リモートコントローラ装置にて前記番組情報を受信し、前記表示装置により送信された前記番組情報を、前記リモートコントローラ装置に表示することを特徴とする。
【発明の効果】
【０００８】
本発明によれば、番組情報をリモートコントローラ装置で描画し、リモートコントローラ装置のタッチパネル手段にて選択することで、表示装置での画像品質の劣化を抑えて操作性の高い同時表示を行う表示システムを提供することができる。
【発明を実施するための最良の形態】
【０００９】
＜第１の実施の形態＞
〔操作の外観〕
図１を参照して説明すると、本発明の実施の形態に係る表示システムＸは、リモートコントロール装置であるリモコン１０により、表示装置２０を制御することができる。
表示装置２０は、地上／衛星／ＣＡＴＶ／ＩＰ放送／サーバー型放送等含むデジタル放送）や地上波放送に対応した表示装置であり、表示パネルである表示部２４０を備える。また、表示装置２０は、ＢＤ（ブルーレイディスク）や、ＨＤＤ（ハードディスクレコーダー）のような画像データや音声データや番組情報のデータを記録／再生可能な部位を内蔵又はｉ．ＬｉｎｋやネットワークやＨＤＭＩ等の外部接続により接続して、表示画面上にＥＰＧ画面を表示して放送番組を録画することができる。さらに、表示装置２０の本体側から赤外線信号や電波等に重畳して、ＥＰＧデータをリモコン１０に送信し、リモコン１０の入力部１６０のデータを受信して双方向通信を行う機能を備えている。
リモコン１０は、リモコン本体の表面積に対して比較的大きなドットマトリクス・ディスプレイである表示部１４０と、この表示部１４０と一体となったタッチパネルやその他の操作ボタン７４０からなる入力部１６０とを備えている。この表示部１４０には、後述するように番組情報を用いて、例えばデータ放送やＥＰＧ等を描画して表示し、デジタル放送の双方向機能に対応したボタンを表示することができる。このボタンの表示により、表示装置２０とリモコン１０とを連携操作して、ユーザーの使い勝手を向上させることができる。
図１では、リモコン１０の表示部１４０に、番組情報７００と、詳細番組情報呼び出しボタン７１２と、裏番組情報呼び出しボタン７１５と、予約ボタン７２０と、番組一覧ボタン７３０とが描画されている。そして、表示部１４０外の入力部１６０の箇所にその他の操作ボタン７４０が存在している。
なお、表示装置２０とリモコン１０とは、複数備えることが可能である。また、その他の操作ボタン７４０もタッチパネルで構成し、表示部１４０の一部とすることもできる。
【００１０】
〔リモコン１０の制御構成〕
次に、図２を参照してリモコン１０の制御構成の１例について説明する。
リモコン１０は、タッチパネルを備えたリモコンであり、Ｂｌｏｏｔｈ（登録商標）等の２．４ＧＨｚ帯の電波やワイヤレスＵＳＢや赤外線通信等を用いて表示装置２０と接続する。
リモコン１０は、制御部１００と、記憶部１２０と、表示部１４０（表示手段）と、制御信号送受信部１５０（送受信手段）と、入力部１６０と、リモコン画面描画部１８０（ボタン描画手段）とを主に含んで構成される。
以下、これらの各構成部位について、より詳しく説明する。
【００１１】
制御部１００は、ＭＰＵ（マイクロ・プロセッシング・ユニット）、ＣＰＵ（中央処理装置）、ＧＰＵ（グラフィックプロセッサ）等であり、記憶部１２０等に記憶されているプログラム等を実行し、ＥＰＧデータやタッチパネルのボタン等を表示部１４０に表示する。この制御部１００は、表示装置２０のＣＰＵ等よりも処理能力等は低くても、低消費電力であることが望ましい。
【００１２】
記憶部１２０は、ＤＲＡＭ（ダイナミック・ランダム・アクセス・メモリ）やＳＲＡＭ（スタティック・ランダム・アクセス・メモリ）、ＲＯＭ（リード・オンリー・メモリ）、フラッシュメモリ、ＨＤＤ等の記憶手段である。また、記憶部１２０は、各種プログラムやデータの他に、リモコン情報１２１と、リモコン画面データ１２２と、ＥＰＧデータ１２４とを記憶することができる。
リモコン情報１２１は、リモコン１０の識別コード（ＩＤ）を記憶している部位である。表示装置２０は、後述するように、このＩＤを基に記憶部２２０に記憶されたリモコン性能データ２２８（図３参照）を呼び出して、リモコン１０の表示やワンセグチューナの有無等といった性能に関する指標の情報を得ることができる。なお、性能に関する指標の情報をこのリモコン情報１２１に含ませることも可能である。
リモコン画面データ１２２は、後述するように表示装置２０から送信され、リモコン１０の表示部１４０に表示するためのリモコン画面のデータである。リモコン画面データ１２２は、ＨＴＭＬやＸＭＬ等の記述言語を用いて所定のフォーマットで記載され、描画するフォームや一覧表のオブジェクトの座標と、このフォームや一覧表に表示するためのデータ放送の文字情報と、ＥＰＧデータ１２４等の別データへのリンクと、ユーザーが押下したことを検出するボタンの座標等を記載したデータと、このボタンのデータをユーザーが押下した際のアクション（動作）等の操作情報を記憶している。また、後述する、サムネイル画像８００のように画像データや、ボタン押下時の効果音等の音声データのようなデータを含んでいてもよい。
ＥＰＧデータ１２４は、表示装置２０が番組情報を用いて作成して送信するＥＰＧデータである。ＥＰＧデータ１２４は、ＢＭＬ（Ｂｒｏａｄｃａｓｔ  Ｍａｒｋｕｐ  Ｌａｎｇｕａｇｅ）で記載されたデータ、ウェブサイトのアドレス、サムネイル画像等を含んでいる。また、ＥＰＧデータ１２４には、番組情報に含まれる他の情報や、双方向通信用の情報も含む。
【００１３】
表示部１４０は、リモコン１０に備えられた主にドットマトリクスディスプレイであり、液晶ディスプレイ、有機／無機ＥＬディスプレイ、ＰＤＰ（プラズマ・ディスプレイ・パネル）、ＦＥＤ（フィールド・エミッション・ディスプレイ）、ＬＥＤ（ライト・エミッション・ダイオード）アレイ、電子ペーパー、ＭＥＭＳ（Ｍｉｃｒｏ  Ｅｌｅｃｔｒｏ  Ｍｅｃｈａｎｉｃａｌ  Ｓｙｓｔｅｍｓ）ディスプレイ、ヘッドマウントディスプレイ等を用いることができる。
表示部１４０には、現在放送中の番組名、チャンネル名、データ放送やＥＰＧ等を描画する。また、このＥＰＧのデータをタッチパネルのボタンとして描画することも可能である。さらに、双方向通信用のボタンを描画し、チャンネル切り換えのボタンを同様にタッチパネルのボタンとして描画する。
【００１４】
制御信号送受信部１５０（送受信手段）は、表示装置２０のコマンドやＵＲＬのソフトウェアキーボードを表示するためのデータを送受信するための機能を持つ部位である。
すなわち、この制御信号送受信部１５０は、リモコン１０が電波リモコンの場合は、例えば、Ｂｌｕｅｔｏｏｔｈ（登録商標）や無線ＬＡＮやワイヤレスＵＳＢのアンテナと受信用ＬＳＩを備えた電波送受信部等から構成される。
また、制御信号送受信部１５０は、リモコン１０が赤外線リモコンの場合、表示装置２０へ赤外線信号を送信する赤外線ＬＥＤと、表示装置２０からの赤外線信号を受信する受光部等から構成される。加えて、制御信号送受信部１５０は、無線ＬＡＮ、ワイヤレスＵＳＢ、ＨＤＭＩ、ｉ−ｌｉｎｋ、有線ＬＡＮ、電話線、ｃ．ｌｉｎｋ、ＵＳＢ等の端子を備えていて、この端子で送受信したコマンドに連動して制御することもできる。また、リモコン１０のファームウェアをアップデートするためのフラッシュメモリカードのインターフェイスを備えていてもよい。
【００１５】
入力部１６０は、表示部１４０の表面に備えられた感圧式等のタッチパネル（タッチディスプレイ）と、その他の操作ボタン等のキーを備えた入力手段であり、ユーザーの入力を検知する。
この入力部１６０のタッチパネルは、図１に示したように、表示部１４０よりも大きい面積であってもよく、表示部１４０より外の部分にテンキーやカーソルキーや「ＯＫ（選択）」「キャンセル」「送信」等のボタンである、その他の操作ボタン７４０を備えることもできる。
そして、これらのその他の操作ボタン７４０は、ＬＥＤと導光板を用いて同一のエリアでテンキーとカーソルキー等の表示を動的に切り換えられる「デュアルモード・イルミネーションキー」のような表示切り換え可能キーであってもよい。
加えて、入力部１６０には、ブラウザ機能を呼び出すための「インターネット」ボタンや、メール機能を呼び出す「メール」ボタン等の特別な機能のボタンを備えていてもよい。
なお、入力部１６０は、光学センサやタッチパッド等のポインティングデバイスや加速度検出デバイスや皮膚抵抗センサや傾きセンサや音声入力センサや電波・磁場センサや脳波センサ等を備えていてもよく、これらの入力信号も「ボタン」と同様に扱うことができる。これらのボタンは、タッチパネルではなく、通常のスイッチのようなボタンで構成することも可能である。
また、その他の操作ボタン７４０を、表示部１４０に描画してボタンとして機能させることも可能である。
【００１６】
リモコン画面描画部１８０は、リモコン画面データ１２２やＥＰＧデータ１２４のような記述言語で記載されたデータに含まれているソフトウェアキーボードや文字情報をＧＵＩ（グラフィカル・ユーザー・インターフェイス）用に描画するためのグラフィックプロセッサの機能を備えている部位である。
リモコン画面描画部１８０は、ユーザーが入力部１６０を用いて指示を反映させる表示画面を描画する。
また、ユーザーがリモコン１０の表示部１４０に描画されたボタンをタッチしたことを検出すると、音声や振動にて知らせるための機能も備えている。
なお、リモコン画面描画部１８０は、記憶部１２０に記憶されたプログラムを制御部１００が実行するように構成することもできる。
【００１７】
なお、上述したように、リモコン１０と、表示部１４０と、入力部１６０とは、タッチパネルのように、タッチパネル部と本体部とが一体型に構成されていても、それぞれが分離して構成してもよい。
また、リモコン１０には表示部１４０のユニットが内蔵され、入力部１６０だけ別に有線や無線の接続手段（図示しない）により外部に接続するような構成にしてもよい。逆に、リモコン１０には入力部１６０のユニットが内蔵され、表示部１４０の小型ディスプレイだけを有線や無線の接続手段により外部に接続するような構成にしてもよい。
【００１８】
〔表示装置２０の制御構成〕
次に、図３を参照して、表示装置２０の制御構成の例について詳細に説明する。
表示装置２０は、デジタル放送のテレビジョン受信機や携帯端末等の表示装置である。以下では、リモコン１０よりも大きな画面を備えており、録画も可能な液晶テレビジョン放送受信機である場合について説明する。なお、表示装置２０は、携帯電話、スマートフォン、ＰＤＡ（パーソナル・データ・アシスタント）、ＭＩＤ（モバイル・インターネット端末）、ネットブック、ノートＰＣ、ワンセグテレビ、ビデオゲーム機等の携帯端末であってもよい。
表示装置２０は、番組情報処理部２００（番組情報処理手段）と、記憶部２２０と、ネットワーク接続部２３０と、表示部２４０（表示手段）と、制御信号送受信部２５０（送受信手段）と、録画／再生処理部２６０と、チューナ部２９０とを備えている。以下、各部についてより詳しく説明する。
【００１９】
番組情報処理部２００は、ＣＰＵ等の制御機能を備えており、データ放送やＥＰＧの表示に係る処理を行う部位である。また、番組情報処理部２００は、ＧＵＩ（グラフィカル・ユーザー・インターフェイス）を用いて、表示部２４０にユーザーの録画や文字放送の双方向処理やＥＰＧ処理に係る表示を行う。
番組情報処理部２００（文字データ処理手段）は、リモコン画面データ作成部２０２（リモコン画面データ作成手段）と、ＥＰＧ作成部２０３と、予約処理部２０４とを備えている。
リモコン画面データ作成部２０２は、リモコン１０の表示部１４０に表示される画面データを作成する部位であり、例えばＥＰＧの表示画面にボタンとして表示されるオブジェクトの元データを、ＥＰＧ作成部２０３の処理により作成されたＢＭＬデータ等からパーサー等を用いて取得して画面データを作成する。このように、表示装置２０によりリモコン１０で表示する画面データを作成するために、リモコン１０の制御部１００の処理の負荷を抑えることができる。
ＥＰＧ作成部２０３は、デジタル放送のＴＳ（トランスポート・ストリーム）データであるＴＳデータ２２３の番組情報等の文字データであるＰＳＩ／ＳＩデータや、インターネットから取得したｉＥＰＧデータ等から、ＥＰＧのためのデータであるＥＰＧデータ１２４を作成する部位である。また、ＴＳデータ２２３から画像データを作成して、各チャンネルや番組毎に、縮小した画像データであるサムネイルデータを作成してサムネイルデータ２２６に加えることもできる。
予約処理部２０４は、ユーザーがリモコン１０のボタンで入力したデータを元に、タイマーにより予約処理を行うための予約データ２２７を作成する部位である。
【００２０】
記憶部２２０は、ＲＡＭ、ＲＯＭ、フラッシュメモリ、ＨＤＤ等の記憶手段であり、各種データとプログラムを記憶している。記憶部２２０は、ＥＰＧデータ１２４と、リモコン画面データ１２２と、ＴＳデータ２２３と、録画データ２２５（録画画像の画像データ）と、予約データ２２７と、リモコン性能データ２２８とを記憶している。
ＴＳデータ２２３は、チューナ部２９０で受信されているデジタル放送の「生」のデジタルデータである。ＴＳデータ２２３は、画像データ、音声データ、番組情報等の文字データを含むＴＳ形式のデータである。すなわち、画像データとしては、ＭＰＥＧ２−ＴＳ形式や、Ｈ．２６４／ＡＶＣ形式等のＴＶ放送の映像の画像データを含んでいる。音声データとしては、ＡＡＣ形式や、ＭＰＥＧ２−ＬＡ形式や、ロスレス圧縮形式等の音声データを含んでいる。また、番組情報等の文字データとしては、番組配列情報であるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）データから取得するような文字データを含んでいる。このデジタル放送のデジタルデータの形式は、ＡＲＩＢ規格等のデジタル放送用の規格（ＡＲＩＢ  ＳＴＤ−Ｂ１０等）で規定されている
録画データ２２５は、録画／再生処理部２６０が録画処理を行った場合に、録画／再生処理部２６０により記憶される画像データや音声データや番組情報等の文字データである。この録画データ２２５は、ＴＳデータをそのまま記憶しても、ＴＳデータから画像データと音声データと番組情報等の文字データとをそれぞれ抽出して、録画用に圧縮された形式等に変換して記憶してもよい。
サムネイルデータ２２６は、ＥＰＧ作成部２０３がＴＳデータから作成した小さな識別用の画像データである画像データであるサムネイルデータと、録画データ２２５で録画した際に録画／再生処理部２６０により作成されるサムネイルデータとを含んでいる。サムネイルデータとしては、画面キャプチャのような静止画、動画、音声等を用いることができる。
予約データ２２７は、予約処理部２０４が予約処理を行った際の予約情報をデータベースとして記憶しているデータである。
リモコン性能データ２２８は、リモコン１０の性能に関する指標の情報をデータベースとして記憶しているデータである。この性能に関する指標の情報としては、それぞれのリモコン１０のリモコン情報１２１のＩＤに対応する、表示部１４０の表示解像度、カラーか白黒かといった色情報、ボタンの作成のための所定のフォーマットのバージョン、ワンセグチューナ部の有無等の情報を用いることができる。
なお、リモコン画面データ１２２と、ＥＰＧデータ１２４とは、表示装置２０からリモコン１０に送信されてリモコン１０の記憶部１２０に記憶されるリモコン画面データ１２２とＥＰＧデータ１２４と同一の構成要素を示すものである。
【００２１】
ネットワーク接続部２３０は、電話線やインターネットと接続して、デジタル放送やＩＰ放送等の双方向機能に対応するための部位である。
表示部２４０は、液晶ディスプレイ、ＰＤＰ、有機・無機ＥＬディスプレイ、プロジェクタ等の表示部を備えている表示装置である。表示部２４０は、リモコン１０の表示部１４０よりも高精細であり、デジタル放送の高精細放送の画像等を明瞭に表示可能である。
制御信号送受信部２５０（双受信手段）は、制御信号送受信部１５０と同様に、赤外線や電波を用いてリモコン１０との間でコマンド（制御信号）、リモコン画面データ１２２、ＥＰＧデータ１２４等を送受信する部位である。
録画／再生処理部２６０は、予約処理部２０４が作成した予約データ２２７を基に、所定時間に録画処理を行って、録画データ２２５を作成したり、再生処理により録画データ２２５を再生するための部位である。また、録画／再生処理部２６０は、録画データ２２５を再生して表示部２４０に表示する機能も備えている。
チューナ部２９０は、一般的なデジタル放送用のチューナとデジタル放送の放送電波を複合してＴＳ（トランスポート・ストリーム）データへの変換を行う部位である。我が国の地上デジタル放送の例では、ＨＤ（高精細）やＳＤ（標準解像度）の通常のデジタル放送と、電界強度が低くても受信可能なワンセグ放送の電波とを受信してＴＳデータに変換可能である。すなわち、チューナ部２９０は、通常のデジタル放送と、ワンセグ放送とをＴＳデータとして同時に受信可能である。加えて、チューナ部２９０は複数のチューナを備えていて、地上デジタル放送の場合は、視聴しているチャンネルのみならず他のチャンネルのＴＳデータを時分割で切り換えて取得するように構成することが好適である。
【００２２】
なお、リモコン画面データ作成部２０２と、ＥＰＧ作成部２０３と、予約処理部２０４と、録画／再生処理部２６０とは、ＲＡＭやＲＯＭやフラッシュメモリやＨＤＤ等の記憶部に記憶されたプログラムを、表示装置２０のＣＰＵ等の制御部が実行するように構成することもできる。
【００２３】
〔表示システムＸのＥＰＧ描画処理〕
次に、図４〜図８を参照して、リモコン１０と表示装置２０とを用いた、ＥＰＧ描画処理について説明する。
この際に、まず、ユーザーにより表示装置２０の電源が投入されて、選局が行われ、チューナ部２９０は、放送電波を受信し、ＴＳデータをＴＳデータ２２３に記憶し続けているものとする。
この上で、表示装置２０にてリモコン画面データ１２２をＴＳデータから作成してリモコン１０に表示するまでの一連の処理について、以下で図４のフローチャートを参照して詳しく説明する。
【００２４】
（ステップＳ１０１）
まず、表示装置２０番組情報処理部２００のＥＰＧ作成部２０３は、ＥＰＧ作成処理を行う。
ここでは、ＥＰＧ作成部２０３は、チューナ部２９０が取得して記憶されている記憶部２２０のＴＳデータ２２３のＰＳＩ／ＳＩのデータ等から、例えば、ＥＩＴ（Ｅｖｅｎｔ  Ｉｎｆｏｒｍａｔｉｏｎ  Ｔａｂｌｅ）に相当するＰＩＤ（プログラム・インデックス）をもつデータを取得し、ＥＰＧ（電子番組ガイド）を作成し、記憶部にデータベース化して記憶する。
この際に、ＥＰＧ作成部２０３は、ＢＭＬ等で記述されたテキストデータから、番組名と簡単な番組の説明のみを抽出した簡易的なＥＰＧデータであるＥＰＧデータ１２４についても作成する。このＥＰＧデータ１２４は、リモコン１０の記憶容量の少ない記憶部１２０でも、容易に処理することが可能である。
また、ＥＰＧ作成部２０３は、ＴＳデータ２２３から、番組情報等の文字データについても取得する。
さらに、ＥＰＧ作成部２０３は、ワンセグ放送と同じサイマル放送が行なわれている場合は、リモコン画面データ作成部２０２が、ＴＳデータ２２３中の、ワンセグ放送のＰＩＤをもつデータを取得して、各放送局（チャンネル）で放送中の番組画像からサムネイルの画像データを作成し、サムネイルデータ２２６に加えて記憶する。なお、ワンセグ放送にて、サイマル放送が行われていない場合や、リモコン１０で受信不可能な衛星デジタル放送やＣＡＴＶ放送のチャンネルや外部入力の画像等の場合は、これらの画像を縮小してサムネイル画像を作成してサムネイルデータ２２６に加えて記憶する。また、各チャンネル名と、番組情報等の文字データから取得した放送番組名等についても加えて記憶する。
【００２５】
（ステップＳ１０２）
次に、リモコン画面データ作成部２０２は、ボタン作成・送信処理を行う。
具体的には、上述のテキストデータから、後述する画面例のようなボタンのためのリモコン画面データ１２２を作成する。
この際に、まず、リモコン画面データ作成部２０２は、制御信号送受信部２５０を介して、リモコン１０の制御部１００のリモコン情報１２１を取得する。
その後、リモコン画面データ作成部２０２は、このリモコン情報１２１のＩＤを基に、リモコン性能データ２２８から、性能に関する指標の情報を読み出す。
この性能に関する指標の情報にはリモコン１０の画面の属性についても規定しているため、リモコン画面データ作成部２０２は、表示解像度や色等の情報を参照して、リモコン１０に最適なボタンデータを作成可能である。
【００２６】
次に、リモコン画面データ作成部２０２は、リモコン１０の性能に関する指標の情報に従って、リモコン画面データ１２２を作成する。
具体的には、リモコン画面データ作成部２０２は、リモコン画面データ１２２は、上述したように、リモコン１０の入力部１６０で選択するオブジェクトの説明の文字や、座標データや、押下した際の動作について、ＨＴＭＬやＸＭＬ等の記述言語を用いて、所定のフォーマットにて記述する。
【００２７】
また、リモコン画面データ１２２の内容としては：
（１）番組放送時の番組データ画面表示、
（２）番組一覧画面表示、
（３）ＥＰＧによる予約用の画面表示、
のようなリモコン１０にて描画する画面に従ったデータを、それぞれのリモコン画面データ１２２として作成する。
上記「（１）番組放送時の番組データ画面表示」のリモコン画面データ１２２としては、リモコン画面データ作成部２０２が、番組情報等の文字データのうち、データ放送や番組情報等の文字情報を表示する画面を作成する。この画面としては、リモコン画面データ作成部２０２は後述する番組情報表示７００のような表示欄として表示するためのフォームを作成して、フォーム中に表示する文字情報を入れ込み、必要な場合は双方向機能用ボタン７０５（図５参照）も入れ込む。また、その他のボタンについても作成してボタンデータ作成部１２２に入れ込む。これらの画面とボタンの詳細については後述する。
上記「（２）番組一覧画面表示」のリモコン画面データ１２２としては、まず、サムネイルデータ２２６から各局のチャンネルのサムネイル画像のデータをリモコン画面データ１２２に含める。そして、その他のボタンについても作成してリモコン画面データ１２２とする。
上記「（３）ＥＰＧによる予約用の画面表示」のリモコン画面データ１２２としては、リモコン画面データ作成部２０２が、ＥＰＧデータ１２４から、後述するＥＰＧ表示９００のためのフォームや表のデータを作成し、各チャンネルの番組情報から番組名の座標をボタンとして設定する。すなわち、ＥＰＧデータ１２４を基に、ＥＰＧ表示そのものをボタンとして描画するように記載可能である。また、リモコン画面データ作成部２０２は、記憶部２２０の録画データ２２５と予約データ２２７を参照して、録画した画像や予約のスケジュール等について、後述する予約／録画一覧９１０のためのフォームや表のデータを作成する。
【００２８】
リモコン画面データ１２２には、上述のように番組情報等の文字データや画像データを含ませることが可能である。そして、ＴＳデータ中の映像に係る画像データ等についても、含めることができる。さらに、テキストデータ中のＵＲＬやメールアドレス等の特殊なデータについては、このデータに対応したボタンを作成して、リモコン画面データ１２２に含める。
【００２９】
ＥＰＧ作成処理とボタン作成処理とが終了すると、制御信号送受信部２５０は、リモコン画面データ１２２と、ＥＰＧデータ１２４とを、電波や赤外線で変調して、リモコン１０へ送信する。
【００３０】
（ステップＳ１０３）
次に、リモコン１０のリモコン画面描画部１８０は、ボタン描画処理を行う。
ここで、リモコン画面描画部１８０は、ボタン描画処理として、上述の（１）〜（３）の各画面表示を行うことができる。
【００３１】
まず、図５を参照して、「（１）番組放送時の番組データ画面表示」であるリモコン画面５００について説明する。
このリモコン画面５００の例では、まず、リモコン画面描画部１８０は、リモコン画面データ１２２のうちデータ放送のフォームを番組情報表示７００として描画する。
そして、リモコン画面描画部１８０は、各機能を呼び出すためのボタンを描画する。ボタンの描画においては、上述のオブジェクトをリモコン１０の表示部１４０の解像度に合わせて、所定の座標に描画してゆく。
【００３２】
リモコン画面５００の例では、詳細番組情報呼び出しボタン７１２と、裏番組情報呼び出しボタン７１５と、予約ボタン７２０と、番組一覧ボタン７３０とを描画している。
詳細番組情報呼び出しボタン７１２は、詳細な番組情報を呼び出すためのボタンである。
裏番組情報呼び出しボタン７１５は、ユーザーが押下することで別のチャンネルの番組情報を表示するボタンである。このボタンをユーザーが押下したことを検知すると、リモコン１０の制御部１００は、制御信号送受信部１５０から裏番組情報取得信号が送信されて、表示装置２０から上述のＳ１０１〜Ｓ１０３のステップに従い、順次、別のチャンネルの番組情報等の文字データを取得して表示することができる。
予約ボタン７２０は、「（３）ＥＰＧによる予約用の画面表示」を呼び出すためのボタンである。
番組一覧ボタン７３０は、「（２）番組一覧画面表示」を呼び出すためのボタンである。
また、番組情報表示７００内に、データ放送の双方向機能を呼び出したり、ＵＲＬ等を開いてブラウザ等を呼び出すための双方向機能用ボタン７０５を描画することもできる。
なお、表示部１４０にその他の操作ボタン７４０を表示するような構成の場合は、通常のチャンネル選択ボタンや、録画を再生する再生機能を呼び出すためのボタン等についても描画する。
また、その他の操作ボタン７４０が表示切り換え可能キーのように表示を変更できる場合には、その他の操作ボタン７４０をテンキーに変更すると、チャンネルの変更や双方向機能使用時の入力が簡単に行えるために好適である。
【００３３】
次に、図６を参照して、「（２）番組一覧画面表示」であるリモコン画面５１０について説明する。
リモコン画面描画部１８０は、各チャンネルのワンセグ画像であるサムネイル画像８００の表示を行う。このサムネイル画像８００には、サムネイルデータ２２６を基に作成されているサムネイル画像の他に、チャンネルの番号と放送局名の文字を表示して、ボタンとして機能するように構成する。このチャンネルの番号については、サムネイル画像をワンセグ放送の画像から作成したとしても、そのワンセグ放送のチャンネルではなくフルセグ用の主なチャンネルの番号を表示するのが好適である。すなわち、ユーザーがこのサムネイル画像を押下することを検知して、表示装置２０の番組をサムネイル画像のチャンネルに対応するフルセグのチャンネルに変更することが可能である。
また、リモコン画面描画部１８０は、番組情報ボタン７１０と、予約ボタン７２０とについても描画する。ここで、番組情報ボタン７１０は、「（１）番組放送時の番組データ画面表示」を呼び出すためのボタンである。
【００３４】
これに加えて、図７を参照すると、番組一覧画面表示を行った場合には、リモコン画面データ作成部２０２は、表示装置２０の表示部２４０に、マルチ画面６１０を表示する。このマルチ画面６１０は、リモコン画面５１０のサムネイル画像と同等のチャンネル番号と放送局名の文字を表示したワンセグ放送の画面の一覧を、画面上を分割してサムネイル画像８１０として表示したものである。
このサムネイル画像８１０について、リモコン画面データ作成部２０２は、時分割にて、各放送局のチャンネルを切り換えて表示を更新する。
この上で、ユーザーがサムネイル画像を押下した場合に、サムネイル画像に対応するチャンネルに切り換えて、ズーム表示等を行った後、通常の大きさで表示部２４０に表示する。この際に、ワンセグ放送とフルセグ放送のサイマル放送をしている場合には、フルセグ放送のチャンネルを選局する。すなわち、この実施の形態に係るリモコン１０には、ワンセグ受信機能を備えずに、本体である表示装置２０から、ワンセグの画像を無線や赤外線で送信する。こうすることで、番組の選択は手元のリモコン１０で行い、映像の取得は大画面テレビ等の表示装置２０の地上デジタル放送のアンテナを用いて、連携して視聴することができる。
このように、大画面テレビに多数の画面を分割表示した場合でも、リモコン１０により、見たい番組を直感的に選択できる。また、サムネイル画像８１０は、大画面の高精細な表示部１４０にワンセグ放送の画像をマルチ画面として表示するために、解像度の低いワンセグ放送の画像の粗が目立たないという効果が得られる。
【００３５】
なお、ユーザーは、リモコン１０にてサムネイル画像を選択した場合に、確認後に表示装置２０で選局するように設定することもできる。この場合は、図６のリモコン１０の画面を選択した場合は、リモコン１０のタッチした位置（座標）を表示装置２０の大画面テレビ画面に、例えば図７に矢印で表示したカーソル８１５を移動させて描画する。このカーソル表示としては、色別表示等も用いることができる。
また、リモコン１０に、画面位置検出センサ、加速度センサ、傾きセンサ等を備えて、これらのセンサを利用して、カーソル８１５が示しているチャンネルの座標を選択し、該チャンネルを選局することもできる。その他の操作ボタン７４０が表示切り換え可能キーのように表示を変更できる場合には、その他の操作ボタン７４０をカーソルキーに変更して、選択することもできる。
また、マルチ画面６１０のソースは、上述のようにワンセグ放送に限らず、衛星放送等も含む。さらに、Ｗチューナ機の一個のチューナを、時分割にて常にチャンネルを切り換え、数秒程度毎にＨＤＤに追いかけ再生できるように録画して、これをマルチ画面６１０として動画表示するようにすることもできる。この際に、ワンセグ放送はデータ量が少ないために、表示装置２０の処理の負担が低いという効果が得られる。
【００３６】
次に、図８を参照して、「（３）ＥＰＧによる予約用の画面表示」について説明する。
上述のように、本発明の実施の形態に係る表示システムＸにおいては、番組情報やＥＰＧデータについては、ＴＶ本体である表示装置２０が受信したものを、無線や赤外線を用いてリモコン装置へ転送する。
リモコン１０のリモコン画面描画部１８０は、所定のフォーマットを基に、リモコン画面データ１２２と、ＥＰＧデータ１２４とを用いて、表示部１４０にリモコン画面５２０を表示する。ここでは、リモコン画面描画部１８０は、ＥＰＧ画面９００と、予約／録画一覧９１０と、番組情報ボタン７１０と、番組一覧ボタン７３０とを描画する。
ＥＰＧ表示９００は、例えば横組み表示により、各チャンネルのＥＰＧデータの番組名等の番組情報を時系列にフォームや表として表示したものである。この際、このフォームや表の部分は、ＥＰＧデータ１２４から取得したデータを描画するようにする。また、各番組名の箇所や時間の箇所は、リモコン画面データ１２２に従ってボタンとして描画する。これにより、後述するように、ユーザーは、各番組の箇所を押下するだけで、簡単に録画予約を行うことができる。
予約／録画一覧９１０は、予約した番組（予約済）と、録画した番組（録画済）の一覧を表示したものである。この際に、リモコン画面データ１２２に従って、各番組の箇所をボタンとして描画する。ユーザーは、このボタンを押下するだけで、予約した番組の予約の変更や削除や追加を簡単に行うことができる。これと同様に、録画した番組のボタンを押下すると、この番組をすぐ再生することもできる。
このようなリモコン画面により、離れた場所に備えられた表示装置２０の表示部２４０を眺めるのではなく、手元にあるリモコン１０の画面を閲覧しながら、操作性よく予約や録画のためのリモコン１０での選択操作を行うことができるという効果が得られる。
【００３７】
なお、表示装置２０のリモコン画面データ作成部２０２は、リモコン画面データ１２２に、ＥＰＧデータ１２４のボタン情報まで含ませて作成するように説明したが、ＥＰＧ表示９００と予約／録画一覧９１０については、テキストデータのみをＥＰＧデータ１２４として表示装置２０から取得して、リモコン１０の制御部１００がフォームや表を作成して、更にボタンとして表示するような構成も可能である。
また、その他の操作ボタン７４０が表示切り換え可能キーのように表示を変更できる場合には、その他の操作ボタン７４０をテンキーに変更すると、予約の変更や番組の選択が容易にできるために好適である。
【００３８】
（ステップＳ１０４）
次に、リモコン１０の制御部１００は、バッテリー消費抑制処理を行う。
ここで、リモコン１０においては、表示部１４０において、例えば液晶パネルのバックライトを点灯したり、有機ＥＬディスプレイを自発光したりする。このため、従来の表示部１４０がないリモコンに比べて、バッテリーの電力の消費が激しいという問題がある。よって、リモコン１０の「省エネルギー（省エネ）」のための処理が必要になる。すなわち、表示装置２０の電源がオンであるかオフであるかに関わらず、リモコン１０のバッテリーが低下したことに合わせた処理を行う必要がある。
このバッテリー消費抑制処理においては、制御部１００は、リモコン１０のバッテリーの電圧や電流の低下により電源容量が減少したことを検知すると、以下の処理を行う：
【００３９】
〔視聴リスト作成処理〕
主に表示装置２０の電源がオフ（スタンバイ状態）で、リモコン１０のバッテリー容量が低下した場合は、制御部１００は、視聴リスト作成処理を行う。この処理においては、これまでの視聴履歴及び視聴した番組の視聴時間から、よく見ていたチャンネルと番組のリストを自動作成して、制御信号送受信部１５０から表示装置２０に送信する。
表示装置２０は、スタンバイ状態になっていても、この信号を受信して、リストを記憶部２２０に記憶可能である。その後、制御部１００は、リモコン１０の電源を切断する。
そして、ユーザーがバッテリーを新しいものに交換してリモコン１０を立ち上げると、初期化信号が制御信号送受信部１５０から表示装置２０に送信される。
すると、表示装置２０のリモコン画面データ作成部２０２が、記憶部２２０に記憶されているリストを基に、リモコン画面データ１２２を作成する。この際に、リストでもっとも上位のものを上に表示するようなボタンを作成する。作成したリモコン画面データ１２２は、制御信号送受信部２５０が送信する。
リモコン１０の制御信号送受信部１５０は、このリモコン画面データ１２２を受信して、記憶部１２０に記憶する。リモコン画面描画部１８０は、記憶部１２０からリストを読み出して、表示部１４０に表示する。
リモコン画面描画部１８０は、このリモコン画面データ１２２を描画して、各チャンネルと番組についてはボタンとして描画する。これにより、ユーザーがリストの中からチャンネル又は番組を選択することで、改めて選局をし直さなくても視聴できる。
なお、リモコン１０は、視聴リストを記憶部１２０にリストを記憶してもよい。この場合は、リモコン１０の立ち上げ時には、リスト内から立ち上げた際の時間に視聴するチャンネルと番組とを優先して上位に表示する。
【００４０】
〔よく見ていた番組視聴処理〕
主に表示装置２０の電源がオンで、リモコン１０のバッテリー容量が低下した場合は、制御部１００は、よく見ていた番組視聴処理を行う。
この処理においては、制御部１００は、これまでの視聴履歴及び視聴していた視聴時間について上述の視聴リスト作成と同様にリストを作成して、記憶部１２０に記憶する。
そして、この処理の動作に入ることを表示部１４０に通知するとともに、バックライトを省エネ制御する。
この省エネ制御としては、例えば、表示部１４０のバックライトの明度を下げる。さらに、上部半分のバックライトを消灯するなどして、残った部分にリストをリモコン画面描画部１８０により描画する。このリストから、ユーザーが、視聴するチャンネルや番組を選択できる。また、この際に、入力部１６０のチャンネル切り換えや音量上げ下げ等の単純な機能については送受信可能なように制御することもできる。
リモコン１０のバッテリーの電力がいよいよ低下した場合は、バックライトをオフにしたり明度を最低にする。そして入力部１６０の表示部１４０に描画されていない部分のボタンであるその他の操作ボタン７４０のみを用いて、上述のリストのチャンネルや番組を選択できるようにする。
【００４１】
（ステップＳ１０５）
リモコン１０の制御部１００は、「（３）ＥＰＧによる予約用の画面表示」を行っていた場合には、ユーザーのボタンの押下を検知して、ＥＰＧ予約処理を行う。
具体的には、図８のＥＰＧ表示９００の各番組の箇所をユーザーが押下したことを検知して、記憶部１２０に番組のチャンネルや予約時間を予約データとして記憶し、リモコン予約／録画一覧９１０に確認用に描画する。そして、その他の操作ボタン７４０にある「ＯＫ／送信」ボタンをユーザーが押下したことを検知して、その予約データを制御信号送受信部１５０から表示装置２０へ送信する。
表示装置２０では、制御信号送受信部２５０がその予約データを受信すると、録画／再生処理部２６０が、予約データ２２７として記憶する。
そして、表示装置２０の録画／再生処理部２６０は、予約データ２２７の録画予約時間になると、予約したチャンネルに選局して取得したＴＳデータ２２３を録画データ２２５として記憶する。この際に、録画／再生処理部２６０は、各番組に対応するサムネイル画像を、サムネイルデータ２２６に加えて記憶する。さらに、チャンネル名、番組名、録画日時等のデータもサムネイルデータ２２６に加えて記憶する。
【００４２】
（ステップＳ１０６）
表示装置２０に録画データ２２５が記憶されている場合は、リモコン１０の制御部１００は、録画再生処理を行う指示を行うことができる。
ユーザーが表示装置２０をその他の操作ボタン７４０を用いて、表示部２４０のメニュー画面（図示せず）を操作して録画再生を指示すると、表示装置２０の予約処理部２０４は、図８の予約／録画一覧９１０に表示されるのと同様のリストを表示部２４０に表示する。
この上で、表示装置２０のリモコン画面データ作成部２０２は、録画時に録画データ２２５から録画／再生処理部２６０が作成したサムネイルデータ２２６から、各録画データのサムネイル画像８２０をリモコン画面データ１２２として作成する。そして、リモコン画面データ作成部２０２は、リモコン画面データ１２２を、リモコン１０に制御信号送受信部２５０から送信する。
ここで、図９を参照して説明すると、リモコン１０のリモコン画面描画部１８０は、このサムネイル画像８２０を描画する。この際に、サムネイル画像のチャンネル名や番組名や録画日時を表示し、各サムネイル画像はボタンとして選択できるように描画する。また、リモコン画面描画部１８０は、番組情報ボタン７１０と、予約ボタン７２０とについても描画する。
そして、リモコン１０の制御部１００は、ユーザーがサムネイル画像を押下したことを検知して、その座標等を制御信号送受信部１５０から表示装置２０へ送信する。
表示装置２０では、サムネイル画像のボタンの座標等を制御信号送受信部２５０で受信して記憶部２２０に記憶する。録画／再生処理部２６０は、録画データ２２５から、この座標等に関連づけられている録画した番組のデータを再生して、表示部２４０に表示する。また、その際に、録画データに含まれている番組情報等の文字データから、番組情報やデータ放送のリモコン画面作成してリモコン１０に送信して、リモコン１０の表示部１４０に表示させる。
これにより、表示システムＸのＥＰＧ描画処理を終了する。
【００４３】
なお、ＢＤ等のディスクメディアにダビングした際にも、このディスクメディアの文字情報や字幕等をリモコン１０の表示部１４０に同様に表示させることが可能である。この際に、リモコン１０にＢＤ−Ｊ等のインタラクティブ機能を備えておいて、ディスクメディアのメニュー画面や操作用のボタン等を、表示部１４０に表示させることができる。
【００４４】
以上のように構成することで、以下のような効果を得ることができる。
まず、従来技術１のような、表示装置に番組情報と画像データを同時に表示する技術においては、番組の画像を縮小したりＰＩＰ表示により画像の一部に上書きして表示するため、表示される画像の劣化を伴うという問題があった。
これに対して、本発明の実施の形態に係る表示システムＸにおいては、表示装置２０で受信した現在放送されている番組の番組情報等を送信し、リモコン１０の表示部１４０で表示する。このため、表示装置２０の表示部２４０で表示する放送の画像を劣化させずに表示することができる。すなわち、番組の縮小表示やＥＰＧ等のオーバーレイ表示を行わないため、テレビ番組の画質劣化がなく視聴が可能である。
【００４５】
また、従来から、番組の映像と番組情報とを同事に見るのは煩わしく、しかも番組情報表示とテレビ画像の表示を切り換えるのは時間がかかるという問題があった。このため、ユーザーの番組の視聴を妨げる必要な時だけ番組情報を視聴する技術が求められていた。
これに対して、本発明の実施の形態に係る表示システムＸにおいては、リモコン画面データ１２２やＥＰＧデータ１２４を表示装置２０で作成して、リモコン１０に送信する。そして、リモコン画面データ１２２やＥＰＧデータ１２４に係る情報を表示する。これにより、表示装置２０の表示部２４０のようなＴＶ画面とは別の表示部である、リモコン１０の表示部１４０にＥＰＧを表示することでのユーザーの煩わしさを軽減するという効果が得られる。すなわち、手元で番組表を見ることが出来るので、ＴＶ画面で番組を視聴しつつ番組内容を確認したり、別のチャンネルの番組を選ぶことが容易にできる。
【００４６】
また、従来でも、リモコン装置上に電子番組ガイドを表示するシステムが存在した（例えば、特開２００３−１２５２３０号公報参照）。しかしながら、これらのリモコン装置では、液晶テレビ等の表示装置と連動又は連携して、リモコン装置に番組情報を表示しつつ、リモコン装置の操作を行うことはできなかった。
これに対して、本発明の実施の形態に係る表示システムＸにおいては、このリモコン装置においては、表示装置が受信したＴＳデータから番組情報を取得して、リモコン１０の表示部１４０に電子番組表を表示することができる。また、リモコン１０では、表示装置２０の表示部２４０に表示された番組と一緒に、その番組に関連付けした例えば操作ボタンや操作ガイド等である操作情報を一緒に表示して連携操作することができる。
これにより、ユーザーの使い勝手を向上することができる。
【００４７】
また、従来、番組情報等の文字データを用いたデータ放送は、いちいち大画面テレビに表示するのは煩わしいために、あまり活用されていなかった。このため、録画の保存時においても、ＢＤに「ダビング」する際に、データ放送の情報を削除するようなＢＤレコーダーの機種が多数販売されていた。
これに対して、本発明の実施の形態に係る表示システムＸにおいては、リモコン１０の表示部１４０にデータ放送のリモコン画面を表示するために、データ放送の利用効率を上げることができる。また、ディスクメディアにダビングした場合でも、このデータ放送をリモコン１０に表示することが可能である。
【００４８】
また、従来、大画面テレビの画面と、手元で操作するリモコンとは大きさや形状が著しく異なっており、また、大画面テレビは通常は専用のリモコンにしか対応していないため、従来の学習リモコン等のディスプレイでは最適なボタンの設定を行うことは難しかった。
これに対して、本発明の実施の形態に係る表示システムＸにおいては、リモコン情報１２１を受信した表示装置２０のリモコン画面データ作成部２０２が、リモコン１０の性能に関する指標の情報を基にして、リモコン１０の表示部１４０に最適なリモコン画面データ１２２を作成する。
このため、端末機器であるリモコン１０のタッチパネルである入力部１６０の形状や表示部１４０の形状に最適なユーザーインターフェイスを提供することができ、ユーザーの意図と異なった操作にならない良好な操作を行う視聴システムを提供することができる。
【００４９】
また、従来は、マルチ画面を表示装置２０で表示しても、そのマルチ画面の各チャンネルまでカーソルを移動させて選局せねばならず、使い勝手が悪かった。
しかし、本発明の実施の形態に係るリモコン１０にてサムネイル画像をタッチパネルで押下するような直感的操作を用いることで、操作性のよいマルチ画面選択の視聴システム提供することができる。
【００５０】
さらに、本発明の実施の形態に係る表示システムＸにおいては、ユーザーの操作性をよくすることが可能である。
まず、リモコン１０の表示部１４０にて、先に手元で番組情報を閲覧して番組の内容が確認できるので、チャンネルの選択間違いが減るという効果が得られる。
また、テレビから離れていて、表示装置の表示部２４０に各チャンネルのチャンネル番号が見えない場合でも、リモコン１０の表示部１４０にて手元で閲覧することで直感的に操作できる。
また、データ放送のクイズ等で、クイズ問題を手元のリモコン１０の表示部１４０に表示して、実際の放送画面は大画面テレビの表示部２４０で解像度を落とさずに閲覧することもできる。
また、大画面テレビの表示部１４０の解説や字幕などの文字情報を手元のリモコン１０に送信して表示することができる。その解説や字幕を参照したいときに参照しなながら、番組を閲覧できる。この際、位置センサ又は加速度センサを使用してマルチチャンネルで選局することで、ユーザーの利便性が高まる。
複数チャンネルから見たいチャンネルだけ素早く選択する、究極のザッピングが可能になる。
【００５１】
また、本発明の実施の形態に係る表示システムＸにおいては、制御信号送受信部１５０と制御信号送受信部２５０とに無線伝送の装置を用いると、別室で番組情報を確認することができる。
このため、例えば、リビングにあるＴＶである表示装置２０の状態をモニターすることができる。これにより、子供がどのような番組を視聴しているかのチェックすることができる。また、キッチンで炊事をしながら、見たい番組を選択することも可能となる。
これらの目的のために、リモコン１０を複数用意することも可能である。その際に、単にチャンネルを選局するための簡易的なボタンのみのリモコンと、多機能なリモコンであるリモコン１０とを用意することもできる。
また、上述の第１の実施の形態においては、番組情報をリモコン１０で表示する場合について説明したが、逆にリモコン１０の表示部１４０に番組の映像データを確認用に小さく表示した上で、番組情報のみを取り出して表示装置２０の表示部２４０に表示してもよい。これにより、文字情報が主体のコンテンツを、映像を確認しながら大画面で文字情報を閲覧することができる。なお、この場合は、サムネイル画像として、ＭＰ４等のデータ量の少ない映像データを用いることができる。
【００５２】
＜第２の実施の形態＞
（ワンセグ内蔵リモコン）
なお、上述の表示画面一覧表示においては、表示装置２０側で受信したワンセグ放送のサムネイル画像を送信するように記載したが、リモコンにワンセグ受信機能を備えていてもよい。
図９を参照すると、リモコン１１は、ワンセグ受信機能を内蔵した学習リモコン、ＰＤＡ、携帯電話等であり、記憶部１２０に記憶したプログラムに従って表示装置２０のリモコンとして用いることができる。
リモコン１１は、ワンセグ放送を受信できるワンセグチューナ部１９５を内蔵し、このワンセグ放送のＴＳデータをデコードして表示し音声を出力するワンセグ描画部１７０を備えている。そして、ワンセグ描画部１７０は、上述の表示装置２０で作成されるのとほぼ同一のサムネイル画像を作成することができる。
また、リモコン情報１２１には、リモコン１１に係るＩＤを記憶している。そして、表示装置２０のリモコン性能データ２２８には、リモコン１１に係る性能に関する指標の情報として、ワンセグチューナ部１９５を内蔵していることを記憶している。
なお、リモコン１１において、図２のリモコン１０と同一の符号は、同一の構成要素を示す。
また、ワンセグと地上デジタルが同期していないワンセグ専用の放送のチャンネルの場合には、リモコン情報の場合には、これを除外することもできる。
【００５３】
リモコン１１は、ワンセグ放送を受信中に、サムネイル画像の一覧を表示して、上述の第１の実施の形態に係る「（２）番組一覧画面表示」のようにユーザーが押下したボタンと表示装置２０のマルチ画面のチャンネルや番組とを連動させることができる。
この連動においては、リモコン１１にて、チャンネル選局して選局情報をリモコン信号に重畳して大画面テレビである表示装置２０に送信すると、大画面テレビ側では、大画面テレビ側のチャンネルをワンセグ放送と同様のフルセグ放送のチャンネルに自動選局することができる。
また、ワンセグテレビであるリモコン１１の液晶ディスプレイ等である表示部１４０は、高い解像度をもっているので、複数のサムネイル画像を表示しても、十分判別可能である。
さらに、地上デジタル放送用のＰＳＩ／ＳＩデータは局毎に放送されており、すべての局のＰＳＩ／ＳＩデータを取得するためには裏録チューナを用いる等の方法を用いる必要があった。しかし、リモコン１１のワンセグチューナ部１９５で、ワンセグ用のＰＳＩ／ＳＩデータをチャンネルを切り換えつつ常に取得することができるために、表示装置２０側に裏録チューナが必要ないという効果が得られる。
【００５４】
このように構成することで、地上デジタル放送において、大画面でワンセグ放送を有効に活用することができる。
また、サムネイル画像のデータを転送する必要が少なくなるため、表示装置２０とリモコン１１との間の電波や赤外線のデータ転送量や帯域を抑えることができる。このため、表示装置２０とリモコン１１のデータ転送の信頼性を向上し、制御信号送受信部のコストを削減することができる。
また、リモコン１１のワンセグチューナ部１９５にて、雨や電波障害などの原因で電波の受信状態が悪化し、ワンセグ放送の受信電界強度が所定の値以下に低下した場合や、受信データのエラーレートが所定の値よりも悪化した場合について、検出することができる。
この場合は、ワンセグ放送よりも電波の受信状態に影響されるフルセグ放送に関しては、より電波の受信状態が悪化している可能性が高いため、リモコン１１の制御部１００は、制御信号送受信部１５０から表示装置２０へ、フルセグ放送からワンセグ放送に受信を切り換えるように指示する信号を送信する。この信号を制御信号送受信部２５０が受信すると、表示装置２０は、ワンセグ放送のチャンネルに自動選局する、すなわちＴＳデータのうちワンセグ放送のデータをデコードして、表示部２４０に表示する。この場合、ワンセグ放送は、フレームレートが低く、解像度も低いため、高解像度処理を行って表示するのが好適である。
【００５５】
なお、上記実施の形態の構成及び動作は例であって、本発明の趣旨を逸脱しない範囲で適宜変更して実行することができることは言うまでもない。
【図面の簡単な説明】
【００５６】
【図１】本発明の第１の実施の形態に係る表示システムＸにより番組情報をリモコン１０に表示する概念図である。
【図２】本発明の第１の実施の形態に係るリモコン１０の制御構成を示すブロック図である。
【図３】本発明の第１の実施の形態に係る表示装置２０の制御構成を示すブロック図である。
【図４】本発明の第１の実施の形態に係る制御処理の表示システムＸのＥＰＧ描画処理のフローチャートである。
【図５】本発明の第１の実施の形態に係るリモコン１０の表示部１４０に表示された番組放送時の番組情報表示のリモコン画面例である。
【図６】本発明の第１の実施の形態に係るリモコン１０の表示部１４０に表示された番組一覧画面表示のリモコン画面例である。
【図７】本発明の第１の実施の形態に係る表示装置２０の表示部２４０に表示された番組一覧画面表示のマルチ画面表示例である。
【図８】本発明の第１の実施の形態に係るリモコン１０の表示部１４０に表示されたＥＰＧによる予約用の画面表示のリモコン画面例である。
【図９】本発明の第１の実施の形態に係るリモコン１０の表示部１４０に表示された録画再生処理用の画面表示のリモコン画面例である。
【図１０】本発明の第２の実施の形態に係るワンセグ受信機能を内蔵した別のリモコン１１の制御構成を示すブロック図である。
【符号の説明】
【００５７】
１０、１１  リモコン
２０  表示装置
１００  制御部
１２０  記憶部
１２１  リモコン情報
１２２  リモコン画面データ
１２４  ＥＰＧデータ
１４０、２４０  表示部
１５０、２５０  制御信号送受信部
１６０  入力部
１７０  ワンセグ描画部
１８０  リモコン画面描画部
１９５  ワンセグチューナ部
２００  番組情報処理部
２０２  リモコン画面作成部
２０３  ＥＰＧ作成部
２０４  予約処理部
２２０  記憶部
２２３  ＴＳデータ
２２５  録画データ
２２６  サムネイルデータ
２２７  予約データ
２２８  リモコン性能データ
２３０  ネットワーク接続部
２６０  録画／再生処理部
２９０  チューナ部
５００、５１０、５２０、５３０  リモコン画面
６１０  マルチ画面
７００  番組情報表示
７０５  双方向機能用ボタン
７１０  番組情報ボタン
７１２  詳細番組情報呼び出しボタン
７１５  裏番組情報呼び出しボタン
７２０  予約ボタン
７３０  番組一覧ボタン
７４０  その他の操作ボタン
８００、８１０、８２０  サムネイル画像
８１５  カーソル
９００  ＥＰＧ表示
９１０  予約／録画一覧
Ｘ  表示システム
【図１】
2010130445.tif 000003
【図２】
2010130445.tif 000004
【図３】
2010130445.tif 000005
【図４】
2010130445.tif 000006
【図５】
2010130445.tif 000007
【図６】
2010130445.tif 000008
【図７】
2010130445.tif 000009
【図８】
2010130445.tif 000010
【図９】
2010130445.tif 000011
【図１０】
2010130445.tif 000012